(57)【要約】【課題】カバーとケースとの間の隙間が大きくなることを抑制することができる巻尺を提供する。【解決手段】巻尺１は、測定テープ１０と、ケース２０と、カバー３０と、プレート４０とを備えている。ケース２０は測定テープ１０を出し入れ可能に収容する。カバー３０はケース２０を覆い、かつ貫通孔ＴＨが設けられている。プレート４０は、カバー３０よりも剛性が高く、かつケース２０に取り付けられている。ケース２０およびプレート４０の少なくともいずれかは、貫通孔ＴＨ内に配置された接続部ＣＰを含んでいる。プレート４０は、接続部ＣＰから外方に張り出したフランジ部ＦＰを含んでいる。フランジ部ＦＰは、ケース２０との間にカバー３０を挟み込んでいる。【選択図】図４
2020030079.tif 000002
【特許請求の範囲】
【請求項１】
測定テープと、
前記測定テープを出し入れ可能に収容するケースと、
前記ケースを覆い、かつ貫通孔が設けられたカバーと、
前記カバーよりも剛性が高く、かつ前記ケースに取り付けられたプレートとを備え、
前記ケースおよび前記プレートの少なくともいずれかは、前記貫通孔内に配置された接続部を含み、
前記プレートは、前記接続部から外方に張り出したフランジ部を含み、
前記フランジ部は、前記ケースとの間に前記カバーを挟み込んでいる、巻尺。
【請求項２】
前記カバーは、前記カバー内に前記ケースを挿入するための開口部を含み、
前記開口部は、前記カバーの側面に配置されており、
前記プレートは、前記カバーの正面に配置されており、
前記フランジ部は、前記貫通孔と前記開口部との間に配置されている、請求項１に記載の巻尺。
【請求項３】
前記カバーの材料は弾性を有する樹脂であり、
前記ケースの材料は樹脂であり、
前記プレートは、前記ケースに両面テープを介して取り付けられている、請求項１または２に記載の巻尺。
【請求項４】
前記ケースおよび前記プレートのいずれか一方は凹部を含み、
前記ケースおよび前記プレートのいずれか他方は凸部を含み、
前記凸部は、前記凹部に嵌合するように構成されている、請求項１〜３のいずれか１項に記載の巻尺。
【請求項５】
前記凹部は、複数の穴部を含み、
前記凸部は、複数の前記穴部にそれぞれ嵌合する複数のボスを含み、
前記貫通孔の周方向に沿う一方向において、複数の前記ボスの互いに隣り合う前記ボス同士の距離は、互いに異なっている、請求項４に記載の巻尺。
【発明の詳細な説明】
【技術分野】
【０００１】
本発明は、巻尺に関するものである。
【背景技術】
【０００２】
従来、巻尺には、落下時における巻尺自体の保護などのため、ゴムなどのカバーで巻尺のケースが覆われたものがある。たとえば、特開２０００−２９２１０３号公報（特許文献１）には、ゴムのカバーでケースが覆われた巻尺が記載されている。この巻尺では、カバーの開口部からカバー内にケースが挿入されている。
【０００３】
また、樹脂などのプレートがゴムのカバーに両面テープなどにより貼り付けられることがある。このプレートには巻尺の製造会社および商品名などが表示される。
【先行技術文献】
【特許文献】
【０００４】
【特許文献１】特開２０００−２９２１０３号公報
【発明の概要】
【発明が解決しようとする課題】
【０００５】
上記公報に記載されたカバーでは、カバーに測定者などが接触することにより開口部が広がるようにカバーが外側にめくれたり、経年劣化によりカバーが伸びたりして、カバーとケースとの間の隙間が大きくなることがある。このようにカバーとケースとの間の隙間が大きくなると、巻尺の外観が悪くなる。
【０００６】
また、樹脂などのプレートがゴムのカバーに両面テープなどにより貼り付けられる場合、開口部が広がるようにカバーがプレートごと外側にめくれてカバーとケースとの間の隙間が大きくなることがある。この場合も、カバーとケースとの間の隙間が大きくなるため、巻尺の外観が悪くなる。
【０００７】
本発明は、上記課題に鑑みてなされたものであり、その目的は、カバーとケースとの間の隙間が大きくなることを抑制することができる巻尺を提供することである。
【課題を解決するための手段】
【０００８】
本発明の巻尺は、測定テープと、ケースと、カバーと、プレートとを備えている。ケースは測定テープを出し入れ可能に収容する。カバーはケースを覆い、かつ貫通孔が設けられている。プレートは、カバーよりも剛性が高く、かつケースに取り付けられている。ケースおよびプレートの少なくともいずれかは、貫通孔内に配置された接続部を含んでいる。プレートは、接続部から外方に張り出したプランジ部を含んでいる。フランジ部は、ケースとの間にカバーを挟み込んでいる。
【０００９】
本発明の巻尺によれば、プレートは、カバーよりも剛性が高く、かつケースに取り付けられている。そして、プレートのフランジ部がケースとの間にカバーを挟み込んでいる。したがって、ケースに取り付けられたプレートのフランジ部によってカバーとケースとの間の隙間が大きくなることを抑制することができる。
【００１０】
上記の巻尺では、好ましくは、カバーは、カバー内にケースを挿入するための開口部を含んでいる。開口部は、カバーの側面に配置されている。プレートは、カバーの正面に配置されている。フランジ部は、貫通孔と開口部との間に配置されている。このため、フランジ部によって貫通孔と開口部との間でカバーを保持することができる。これにより、貫通孔と開口部との間で開口部が広がるようにカバーが正面側にめくれることを抑制することができる。したがって、カバーの側面に配置された開口部が広がるようにカバーが外側にめくれることを抑制することができる。
【００１１】
上記の巻尺では、好ましくは、カバーの材料は弾性を有する樹脂である。ケースの材料は樹脂である。プレートは、ケースに両面テープによって貼り付けられている。カバーの材料は弾性を有する樹脂であるため、カバーには樹脂に柔らかさを出す添加剤、可塑剤、加硫剤の少なくともいずれかが含まれている。プレートがカバーに両面テープで貼り付けられている場合には、カバーに含まれる添加剤、可塑剤、加硫剤の少なくともいずれかにより貼付の結合力が弱くなる。プレートが樹脂のケースに両面テープで貼り付けられているため、プレートがカバーに両面テープで貼り付けられている場合に比べて、貼付の結合力を強くすることができる。したがって、プレートが外れることを抑制することができる。
【００１２】
上記の巻尺では、好ましくは、ケースおよびプレートのいずれか一方は凹部を含んでいる。ケースおよびプレートのいずれか他方は凸部を含んでいる。凸部は、凹部に嵌合するように構成されている。このため、凸部が凹部に嵌合することによって、ケースにプレートを取り付けることができる。
【００１３】
上記の巻尺では、好ましくは、凹部は、複数の穴部を含んでいる。凸部は、複数の穴部にそれぞれ嵌合する複数のボスを含んでいる。貫通孔の周方向に沿う一方向において、複数のボスの互いに隣り合うボス同士の距離は、互いに異なっている。このため、複数のボスが誤った複数の穴部にそれぞれ嵌合することを防止することができる。したがって、ケースにプレートが誤って組み付けられることを防止することができる。
【発明の効果】
【００１４】
以上説明したように、本発明の巻尺によれば、カバーとケースとの間の隙間が大きくなることを抑制することができる。
【図面の簡単な説明】
【００１５】
【図１】本発明の一実施の形態の巻尺の構成を概略的に示す斜視図である。
【図２】図１と反対方向から本発明の一実施の形態の巻尺の構成を概略的に示す斜視図である。
【図３】本発明の一実施の形態の巻尺の構成を概略的に示す正面図である。
【図４】図３のＩＶ−ＩＶ線に示す断面図である。
【図５】本発明の一実施の形態の巻尺の構成を概略的に示す部分分解斜視図である。
【図６】本発明の一実施の形態の巻尺のケース、カバー、クリップの構成を概略的に示す部分分解斜視図である。
【図７】本発明の一実施の形態の巻尺の凹部と凸部との位置関係を示す分解斜視図である。
【図８】本発明の一実施の形態の巻尺の変形例１の構成を概略的に示す断面図である。
【図９】本発明の一実施の形態の巻尺の変形例２の構成を概略的に示す断面図である。
【図１０】本発明の一実施の形態の巻尺の変形例３の凹部と凸部との位置関係を示す分解斜視図である。
【図１１】本発明の一実施の形態の巻尺の変形例３の構成を概略的に示す断面図である。
【発明を実施するための形態】
【００１６】
以下、本発明の一実施の形態について図に基づいて説明する。なお、同一または相当する部分に同一の参照符号を付し、その説明は、特に必要がなければ繰り返さない。
【００１７】
図１および図２を参照して、本実施の形態の巻尺１は、測定テープ１０と、ケース２０と、カバー３０と、プレート４０と、クリップ５０とを主に有している。巻尺１は、測定テープ１０で測定対象物の長さ等を測定するためのものである。巻尺１は、測定テープ１０をケース２０に出し入れ可能に構成されている。測定テープ１０は、幅方向に湾曲していてもよい。測定テープ１０は、鋼鉄製であってもよい。
【００１８】
測定テープ１０の先端部に爪部１１が取り付けられている。爪部１１は、測定テープ１０がケース２０に収容された状態で、ケース２０の出入口２０ａに係止されるように構成されている。爪部１１は、測定テープ１０がケース２０に収容された状態で、ケース２０の出入口２０ａから露出している。
【００１９】
ケース２０は、測定テープ１０を出し入れ可能に収容するように構成されている。ケース２０は測定テープ１０を出し入れする出入口２０ａを有している。ケース２０は、出入口２０ａを通して図１中矢印Ａ１方向に測定テープ１０を出し入れ可能に構成されている。ケース２０の材料は樹脂であることが好ましい。この樹脂は、樹脂に柔らかさを出す添加剤、可塑剤、加硫剤を含有していないことが好ましい。この樹脂は、たとえばＡＢＳ（Acrylonitrile-Butadiene-Styrene）樹脂である。なお、ケース２０の材料は、アルミニウムなどの金属であってもよい。
【００２０】
カバー３０は、ケース２０を覆うように構成されている。カバー３０は、巻尺１自体を保護するためのものである。また、カバー３０は、巻尺１に接触する物を保護するためのものである。また、カバー３０は滑り止めのためのものである。カバー３０は弾性部材によって構成されていることが好ましい。具体的には、カバー３０の材料は弾性を有する樹脂であることが好ましい。この樹脂は、弾性を有するため、樹脂に柔らかさを出す添加剤、可塑剤、加硫剤の少なくともいずれかを含有している。この樹脂は、たとえばゴム、エラストマー樹脂である。カバー３０は、正面３０ａと、側面３０ｂと、背面３０ｃとを有している。側面３０ｂは、正面３０ａと背面３０ｃとの間に配置されている。側面３０ｂに開口部ＯＰが設けられている。
【００２１】
プレート４０は、カバー３０の正面３０ａに配置されている。プレート４０は、巻尺の製造会社および商品名などが表示されるように構成されている。プレート４０は、銘板として機能するものである。プレート４０は、カバー３０よりも剛性が高い。つまり、プレート４０は、カバー３０よりも変形し難い。プレート４０の材料は、樹脂であることが好ましい。なお、プレート４０の材料は、アルミニウムなどの金属であってもよい。
【００２２】
クリップ５０は、カバー３０の背面３０ｃに配置されている。クリップ５０は、巻尺１の使用者のベルトなどに巻尺１を取り付け可能に構成されている。クリップ５０は、ねじ５１によってカバー３０を介してケース２０に取り付けられている。クリップ５０の材料は、たとえば金属である。
【００２３】
ケース２０にストッパー２１が設けられている。ストッパー２１は、カバー３０の開口部ＯＰから露出している。ストッパー２１は、測定テープ１０がケース２０から引き出された状態を維持可能に構成されている。
【００２４】
図３および図４を参照して、巻尺１は、両面テープ６０と、巻取軸７０と、ボビン８０と、ゼンマイバネ９０とをさらに有している。巻取軸７０はケース２０に取り付けられている。ボビン８０は、巻取軸７０周りに回転するように構成されている。ボビン８０の外周側に測定テープ１０が巻き回されている。ボビン８０の内周側にゼンマイバネ９０が収容されている。ゼンマイバネ９０の基端部は巻取軸７０に取り付けられている。ゼンマイバネ９０の先端部は測定テープ１０の基端部に取り付けられている。
【００２５】
測定テープ１０は、ゼンマイバネ９０によって巻取軸７０周りに巻き取られるように付勢されている。このため、測定テープ１０がケース２０の出入口２０ａから引き出される際には、ゼンマイバネ９０の付勢力に抗して測定テープ１０は引き出される。したがって、測定テープ１０がケース２０の出入口２０ａから引き出された状態で、測定テープ１０を引き出す力が解除されると、ゼンマイバネ９０の付勢力によって測定テープ１０はケース２０内に引き戻される。また、測定テープ１０がストッパー２１によってロックされた場合には、測定テープ１０はストッパー２１によってケース２０から引き出された状態で維持される。
【００２６】
図４および図５を参照して、カバー３０には貫通孔ＴＨが設けられている。プレート４０は、ケース２０に取り付けられている。本実施の形態では、プレート４０は、ケース２０に両面テープ６０を介して取り付けられている。本実施の形態では、カバー３０の正面３０ａ側から貫通孔ＴＨを見たときに、貫通孔ＴＨの下辺は直線状に構成されており、貫通孔ＴＨの下辺以外は円弧状に構成されている。また、カバー３０の正面３０ａ側から貫通孔ＴＨを見たときに、貫通孔ＴＨ内に配置された両面テープ６０は、貫通孔ＴＨと略相似形状に構成されている。
【００２７】
本実施の形態では、プレート４０は、接続部ＣＰを含んでいる。接続部ＣＰは、貫通孔ＴＨ内に配置されている。接続部ＣＰは、貫通孔ＴＨを通ってケース２０に支持されている。接続部ＣＰの外周面は、カバー３０の貫通孔ＴＨを取り囲む部分に接していてもよい。接続部ＣＰの外周面は、全周に亘って、カバー３０の貫通孔ＴＨを取り囲む部分に接していてもよい。本実施の形態では、接続部ＣＰの下辺は直線状に構成されており、接続部ＣＰの下辺以外は円弧状に構成されている。このため、接続部ＣＰがカバー３０の貫通孔ＴＨ内で回転することを抑制することができる。
【００２８】
図５中矢印Ａ２に示されるように、プレート４０は、カバー３０の正面３０ａから背面３０ｃに向けて接続部ＣＰがカバー３０の貫通孔ＴＨに挿入されるように、カバー３０に取り付けられている。本実施の形態では、カバー３０は、貫通孔ＴＨの周囲に設けられた溝部３１を有している。
【００２９】
プレート４０は、フランジ部ＦＰを含んでいる。本実施の形態では、フランジ部ＦＰはカバー３０の溝部３１に嵌まるように構成されている。フランジ部ＦＰは、接続部ＣＰから外方に張り出している。本実施の形態では、フランジ部ＦＰは、接続部ＣＰの全周に亘って接続部ＣＰから外方に張り出している。フランジ部ＦＰは、接続部ＣＰが貫通孔ＴＨに挿入された状態でカバー３０に取り付けられている。フランジ部ＦＰはカバー３０の正面３０ａに配置されている。フランジ部ＦＰの厚みは、接続部ＣＰの厚みよりも小さくてもよい。フランジ部ＦＰは、ケース２０との間にカバー３０を挟み込んでいる。つまり、フランジ部ＦＰとケース２０との間にカバー３０が挟み込まれている。また、フランジ部ＦＰは接続部ＣＰの外側でケース２０との間にカバー３０を挟み込んでいる。
【００３０】
フランジ部ＦＰは、貫通孔ＴＨと開口部ＯＰとの間に配置されている。フランジ部ＦＰは、貫通孔ＴＨと開口部ＯＰとの間において貫通孔ＴＨから開口部ＯＰに向けて延びている。フランジ部ＦＰは、貫通孔ＴＨと開口部ＯＰとの間の中央よりも開口部ＯＰ側まで、貫通孔ＴＨから開口部ＯＰに向けて延びていてもよい。フランジ部ＦＰは、貫通孔ＴＨの全周に沿ってカバー３０に重ねられていてもよい。
【００３１】
図５および図６を参照して、カバー３０は、カバー３０内にケース２０を挿入するための開口部ＯＰを含んでいる。開口部ＯＰは、カバー３０の側面３０ｂに配置されている。ケース２０は、出入口２０ａおよびストッパー２１が配置された部分と反対側の部分からカバー３０内に挿入されている。ケース２０がカバー３０内に挿入された状態で出入口２０ａおよびストッパー２１は開口部ＯＰから露出している。
【００３２】
図７を参照して、ケース２０は凹部ＰＡを含んでいる。プレート４０は凸部ＰＢを含んでいる。凸部ＰＢは、凹部ＰＡに嵌合するように構成されている。なお、プレート４０が凹部ＰＡを含んでおり、ケース２０が凸部ＰＢを含んでいてもよい。つまり、ケース２０およびプレート４０のいずれか一方が凹部ＰＡを含んでおり、ケース２０およびプレート４０のいずれか他方が凸部を含んでいてもよい。
【００３３】
凹部ＰＡは、複数の穴部ＰＡ１，ＰＡ２，ＰＡ３を含んでいる。凸部ＰＢは、複数の穴部ＰＡ１，ＰＡ２，ＰＡ３にそれぞれ嵌合する複数のボスＰＢ１，ＰＢ２，ＰＢ３を含んでいる。貫通孔ＴＨの周方向に沿う一方向において、複数のボスＰＢ１，ＰＢ２，ＰＢ３の互いに隣り合うボス同士の距離は、互いに異なっている。つまり、ボスＰＢ１とボスＰＢ２との距離Ｌ１と、ボスＰＢ２とボスＰＢ３との距離Ｌ２と、ボスＰＢ３とボスＰＢ１との距離Ｌ３は互いに異なっている。また、穴部ＰＡ１と穴部ＰＡ２との距離Ｄ１と、穴部ＰＡ２と穴部ＰＡ３との距離Ｄ２と、穴部ＰＡ３と穴部ＰＡ１との距離Ｄ３は互いに異なっている。
【００３４】
図８を参照して、本実施の形態の巻尺１における変形例１について説明する。図８は、図４に対応する断面位置での断面図である。上記ではプレート４０が接続部ＣＰを含んでいる場合について説明したが、本実施の形態の巻尺１における変形例１では、ケース２０が接続部ＣＰを含んでいる。接続部ＣＰは、ケース２０の前面の中央部に配置されている。接続部ＣＰはケース２０の前面の周辺部からプレート４０に向けて突出している。接続部ＣＰは貫通孔ＴＨに挿入されている。プレート４０は板状に構成されている。接続部ＣＰの前面に凹部ＰＡが設けられている。プレート４０の背面に凸部ＰＢが設けられている。
【００３５】
続いて、図９を参照して、本実施の形態の巻尺１における変形例２について説明する。図９は、図４に対応する断面位置での断面図である。本実施の形態の巻尺１における変形例２では、ケース２０およびプレート４０の両方が接続部ＣＰを含んでいる。ケース２０の接続部ＣＰおよびプレート４０の接続部ＣＰの両方が貫通孔ＴＨに挿入されている。ケース２０の接続部ＣＰは、プレート４０に向けて貫通孔ＴＨの深さ方向の中間まで挿入されている。プレート４０の接続部ＣＰはケース２０に向けて貫通孔ＴＨの深さ方向の中間まで挿入されている。
【００３６】
以上説明したように、ケース２０が接続部ＣＰを含んでいてもよく、プレート４０が接続部ＣＰを含んでいてもよい。つまり、ケース２０およびプレート４０の少なくともいずれかが貫通孔ＴＨ内に配置された接続部ＣＰを含んでいればよい。
【００３７】
図１０および図１１を参照して、本実施の形態の巻尺１における変形例３について説明する。図１１は、図４に対応する断面位置での断面図である。本実施の形態の巻尺１における変形例３では、プレート４０はケース２０に両面テープ６０を介して取り付けられていない。つまり、両面テープ６０が用いられずに、ケース２０およびプレート４０のいずれか一方に設けられた凹部ＰＡにケース２０およびプレート４０のいずれか他方に設けられた凸部ＰＢが嵌合している。これにより、プレート４０がケース２０に固定されている。
【００３８】
また、プレート４０のケース２０への取り付け方は、上記の取り付け方に限定されない。たとえば、プレート４０は、ケース２０に溶着により取り付けられていてもよい。具体的には、複数のボスＰＢ１，ＰＢ２，ＰＢ３が加熱されることにより溶かされて、複数の穴部ＰＡ１，ＰＡ２，ＰＡ３に挿入された状態で冷却されることにより溶着されていてもよい。
【００３９】
次に本実施の形態の巻尺１の作用効果について説明する。
本実施の形態の巻尺１によれば、プレート４０は、カバー３０よりも剛性が高いため、プレート４０によってカバー３０を補強することができる。プレート４０は、ケース２０に取り付けられているため、プレート４０をケース２０に支持することができる。そして、プレート４０のフランジ部ＦＰがケース２０との間にカバー３０を挟み込んでいるため、フランジ部ＦＰによってカバー３０がケース２０から離れることを抑制することができる。したがって、ケース２０に取り付けられたプレート４０のフランジ部ＦＰによってカバー３０とケース２０との間の隙間が大きくなることを抑制することができる。
【００４０】
本実施の形態の巻尺１では、好ましくは、カバー３０の開口部ＯＰは、カバー３０の側面３０ｂに配置されている。プレート４０は、カバー３０の正面３０ａに配置されている。フランジ部ＦＰは、貫通孔ＴＨと開口部ＯＰとの間に配置されている。このため、フランジ部ＦＰによって貫通孔ＴＨと開口部ＯＰとの間でカバー３０を保持することができる。これにより、貫通孔ＴＨと開口部ＯＰとの間で開口部ＯＰが広がるようにカバー３０が正面３０ａ側にめくれることを抑制することができる。したがって、カバー３０の側面３０ｂに配置された開口部ＯＰが広がるようにカバー３０が外側にめくれることを抑制することができる。
【００４１】
本実施の形態の巻尺１では、好ましくは、カバー３０の材料は弾性を有する樹脂である。ケース２０の材料は樹脂である。プレート４０は、ケース２０に両面テープ６０によって貼り付けられている。カバー３０の材料は弾性を有する樹脂であるため、カバー３０には樹脂に柔らかさを出す添加剤、可塑剤、加硫剤の少なくともいずれかが含まれている。プレート４０がたとえばエラストマー樹脂などの弾性を有する樹脂のカバー３０に両面テープ６０で貼り付けられている場合には、カバー３０に含まれる樹脂に柔らかさを出す添加剤等により貼付の結合力が弱くなる。プレート４０がたとえばＡＢＳ樹脂などの樹脂に柔らかさを出す添加剤等を含有しない樹脂のケース２０に両面テープ６０で貼り付けられているため、プレート４０がカバー３０に両面テープ６０で貼り付けられている場合に比べて、貼付の結合力を強くすることができる。したがって、プレート４０が外れることを抑制することができる。
【００４２】
また、粘着力が強い両面テープ６０はコストが高く、粘着力が弱い両面テープ６０はコストが低い。本実施の形態の巻尺１では、上記のように貼付の結合力を強くすることができるため、安価な両面テープ６０でもプレート４０の充分な保持力が得られる。
【００４３】
また、両面テープ６０で貼り付けることにより、接着剤で貼り付ける場合よりも組立て工数を少なくすることができる。
【００４４】
本実施の形態の巻尺１では、好ましくは、ケース２０およびプレート４０のいずれか一方は凹部ＰＡを含んでいる。ケース２０およびプレート４０のいずれか他方は凸部ＰＢを含んでいる。凸部ＰＢは、凹部ＰＡに嵌合するように構成されている。このため、凸部ＰＢが凹部ＰＡに嵌合することによって、ケース２０にプレート４０を取り付けることができる。
【００４５】
本実施の形態の巻尺１では、好ましくは、貫通孔ＴＨの周方向に沿う一方向において、複数のボスＰＢ１，ＰＢ２，ＰＢ３の互いに隣り合うボス同士の距離Ｌ１，Ｌ２，Ｌ３は、互いに異なっている。このため、複数のボスＰＢ１，ＰＢ２，ＰＢ３が誤った複数の穴部ＰＡ１，ＰＡ２，ＰＡ３にそれぞれ嵌合することを防止することができる。したがって、ケース２０にプレート４０が誤って組み付けられることを防止することができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４７】
１  巻尺、１０  測定テープ、１１  爪部、２０  ケース、２０ａ  出入口、２１  ストッパー、３０  カバー、３０ａ  正面、３０ｂ  側面、３０ｃ  背面、４０  プレート、５０  クリップ、６０  両面テープ、７０  軸、８０  ドラム、９０  ゼンマイバネ、ＣＰ  接続部、ＦＰ  フランジ部、ＯＰ  開口部、ＰＡ  凹部、ＰＡ１，ＰＡ２，ＰＡ３  穴部、ＰＢ  凸部、ＰＢ１，ＰＢ２，ＰＢ３  ボス、ＴＨ  貫通孔。
【図１】
2020030079.tif 000003
【図２】
2020030079.tif 000004
【図３】
2020030079.tif 000005
【図４】
2020030079.tif 000006
【図５】
2020030079.tif 000007
【図６】
2020030079.tif 000008
【図７】
2020030079.tif 000009
【図８】
2020030079.tif 000010
【図９】
2020030079.tif 000011
【図１０】
2020030079.tif 000012
【図１１】
2020030079.tif 000013